(57)【要約】【課題】高温熱試験時あるいはデバイス熱試験時に発生するインターポーザの熱変形による第１基板（メイン基板）と第２基板（サブ基板）の電極間の導通不良の発生を抑制し、しかもその製造歩留まりが向上し、製造工程時間が短くなるインターポーザを提供する。【解決手段】隣り合う電極４どうしの間隔が大なる第１基板１と、隣り合う電極７どうしの間隔が小なる第２基板２との間に介在されて、これら両基板１，２における相対応する接続用電極５，８どうしを電気的に導通接続するための接続子１１とこれを支持する支持板とからなるインターポーザであって、第１基板１面に沿うて平面状に、小径支持板１５〜１８と前記小径支持板１５〜１８に支持された前記接続子１１とからなる複数枚の小径インターポーザＡ〜Ｄを配列するように構成する。【選択図】　　　　　図１
2004119945.tif 000002
【特許請求の範囲】
【請求項１】
隣り合う電極どうしの間隔が大なる第１基板と、隣り合う電極どうしの間隔が小なる第２基板との間に介在されて、これら両基板における相対応する接続用電極どうしを電気的に導通接続するための接続子とこれを支持する支持板とからなるインターポーザであって、
前記第１基板面に沿うて平面状に、小径支持板と前記小径支持板に支持された前記接続子とからなる小径インターポーザを複数枚配列するように構成してあるインターポーザ。
【請求項２】
前記小径インターポーザの面形状が略正方形または略長方形であり、互いに略田の字の形に前記小径インターポーザを少なくとも４枚配列するように構成した請求項１に記載のインターポーザ。
【請求項３】
前記第１基板に複数の位置決めピンを設置し、前記小径インターポーザのそれぞれに前記位置決めピンが通る位置決めピン穴を複数形成し、前記位置決めピン穴により各前記小径インターポーザを前記第１基板に支持するように構成した請求項１から２のいずれか一項に記載のインターポーザ。
【請求項４】
前記第２基板に前記位置決めピンが通る位置決めピン穴を対応する位置に複数形成し、前記位置決めピンにより前記第２基板および各前記小径インターポーザを前記第１基板に支持するように構成した請求項３に記載のインターポーザ。
【請求項５】
前記位置決めピン穴の形状が楕円状あるいは長穴状のいずれかあり、その長軸方向が前記小径インターポーザの中心方向より放射状になるように構成した請求項３から４のいずれか一項に記載のインターポーザ。
【請求項６】
前記接続子は、前記小径支持板に設けた筒部に取り外し可能なように挿入支持されていて、先端が前記第２基板の前記接続用電極と接触する装着用端子と、この装着用端子の基端部に設けられ先端が相対応する前記第１基板の前記接続用電極と接触する接触部とを有するように構成した請求項１から５のいずれか一項に記載のインターポーザ。
【発明の詳細な説明】
【０００１】
【発明の属する技術分野】
本発明はＬＳＩチップ等の半導体デバイスの電気的諸特性を測定する検査用具であるプローブカード等に装備されるインターポーザに関する。
【０００２】
【従来の技術】
従来、プローブカードには、カンチレバー型と呼ばれる横型タイプと、垂直型と呼ばれる縦型タイプとがある。前者の横型タイプのプローブカードは、多くの優れた点があるが、近年のＬＳＩチップの大規模高集積化とテスターの多重化に伴う多チップ同時測定には適していない面がある。これに対して、縦型のプローブは、より多くのプローブ（数百本〜数千本）を使用でき、しかもプローブの配置の自由度が高いので、多チップ同時測定には適している。
【０００３】
半導体デバイスの検査には、複数のチップを同時に測定することが求められており、近年、そこで使用するプローブカードの電極数が更に増加し、使用される基板などの部材も大型化しており、しかもそれらを高温で安定して測定検査することが求められている。上記、縦型のプローブカードにおいて、電極の比較的大きい間隔から小さい間隔への変換を担うメイン基板と、そのメイン基板で間隔変更された電極を、サブ基板を用いてさらに電極間隔を縮小させる必要がある。従来、上記メイン基板と上記サブ基板との間における電極間隔変更を電気的に導通させながら行うためのユニット化されたインターポーザ（介在体）をメイン基板とサブ基板との間に設けることが知られている。
【０００４】
図７に従来のインターポーザユニットの構造の断面概念図を示す。表面に広い間隔で複数の電極５４が配された第１基板（メイン基板）５１と、半導体デバイス５３の狭い間隔で配された電極５６に合わせて狭い間隔で電極５７が表面に配された第２基板（サブ基板）５２との上下間に１枚のインターポーザＩが配置されている。インターポーザＩは、第１基板５１の裏面に互いにやや狭い間隔で配置された接続用電極５５と、第２基板５２の裏面に互いにやや狭い間隔で配置された接続用電極５８とに跨って介在し付勢接触させることで電気的に導通させる手段機構であり、弓形（略３型）などの形状に屈曲形成された弾性状の金属電極である複数の接続子５９と、これら接続子５９をそれらの上下中間位置で固定し、かつ全ての接続子５９をまとめて支持する１枚の支持板６０とからなる単一のユニットに構成されていた。配線６１は第１基板５１の裏表の電極同士を導通させ、配線６２は、第２基板５２の裏表の電極同士を導通させている。このように、従来、介在する複数の接続子５９全てを固定してそれらを１枚の支持板６０により、従って、１枚のインターポーザＩでまかなう必要があった。
【０００５】
【発明が解決しようとする課題】
しかしながら、上記の従来技術によるユニット化された構造のインターポーザでは、インターポーザの電極数の更なる増加に伴いその外形がさらに大きい形状となるため、高温熱試験時あるいはデバイスの熱試験時の熱によって発生する支持板の熱変形ひいてはインターポーザ全体の熱変形の影響を顕著に受け、導通不良が多く発生し良好な試験が出来なくなる問題があり、しかも外形が大きいインターポーザの製造においては、製造歩留まりが低下し、製造工程時間が長くなり、高価となる問題があった。
【０００６】
本発明は、高温熱試験時あるいはデバイス熱試験時に発生するインターポーザの熱変形による第１基板（メイン基板）と第２基板（サブ基板）の電極間の導通不良の発生を抑制し、しかもその製造歩留まりが向上し、製造工程時間が短くなるインターポーザを提供することを目的とする。
【０００７】
【課題を解決するための手段】
請求項１の構成は、隣り合う電極どうしの間隔が大なる第１基板と、隣り合う電極どうしの間隔が小なる第２基板との間に介在されて、これら両基板における相対応する接続用電極どうしを電気的に導通接続するための接続子とこれを支持する支持板とからなるインターポーザであって、
第１基板面に沿うて平面状に、小径支持板と前記小径支持板に支持された前記接続子とからなる小径インターポーザを複数枚配列するように構成してあることを特徴とする。
【０００８】
請求項１の構成によれば、インターポーザ全体を複数枚の外形を小さくした小径インターポーザに分割化し配列することにより、高温での熱試験検査時において、形状が小さい小径支持板の熱変形ひいては小径インターポーザのそれぞれの熱変形は小さいので、インターポーザ全体の熱変形は小さくなり、第１基板と第２基板間の導通不良を抑制することができる。また、たとえ導通不良となった小径インターポーザが発生してもそれのみを交換することが可能になり、インターポーザ全体を一度に交換する必要がない。
【０００９】
請求項２の構成は、請求項１の構成において、前記小径インターポーザの面形状が略正方形または略長方形であり、互いに略田の字の形に前記小径インターポーザを少なくとも４枚配列するように構成してあることを特徴とする。
【００１０】
請求項２の構成によれば、正方形または長方形の形状をした少なくとも４枚の小径インターポーザを互いに略田の字に配列し、従って大きな正方形または長方形の分割されたインターポーザにしたことにより、電極数が多くなって小径インターポーザの外形形状が設計上やむをえず大きくして構成することになっても、熱試験時の熱変形を四方向へ均等にバランスよく分散でき、第１基板と第２基板間の導通不良をさらに抑制することができる。
【００１１】
請求項３の構成は、請求項１〜２の構成において、第１基板に複数の位置決めピンを設置し、小径インターポーザのそれぞれに位置決めピンが通る位置決めピン穴を複数形成し、位置決めピンにより各小径インターポーザを第１基板に支持するように構成してあることを特徴とする。
【００１２】
請求項３の構成によれば、小径インターポーザのそれぞれの位置決めピン穴に、第１基板の複数の位置決めピンを通し嵌め込むことにより、小径インターポーザと第１基板を容易に支持することができ、また、次々に小径インターポーザを第１基板面に平面状に位置決めすることにより、インターポーザ全体の組立の効率化が可能になる。
【００１３】
請求項４の構成は、請求項３において、第２基板に、第１基板に設置された位置決めピンが通る位置決めピン穴を対応する位置に複数形成し、位置決めピンにより第２基板および各小径インターポーザを第１基板に支持するように構成してあることを特徴とする。
【００１４】
請求項４の構成によれば、第２基板にも第１基板の位置決めピンが通る位置決めピン穴を対応する位置に複数形成することにより、各小径インターポーザおよび第２基板の位置決めピン穴に、第１基板の位置決めピンを通し嵌め込むことができるようになり、第１基板、各小径インターポーザ、第２基板をひとまとめに位置決めすることが可能になり、従って、プローブカードの組立の効率化が可能になる。
【００１５】
請求項５の構成は、請求項３〜４の構成において、位置決めピン穴の形状が楕円状あるいは長穴状のいずれかであり、その長軸方向が各小径インターポーザの中心方向より放射状になるように構成してあることを特徴とする。
【００１６】
請求項５の構成によれば、楕円状あるいは長穴状の位置決めピン穴の長軸方向が小径インターポーザの中心方向より放射状になるように形成しているので、位置決めピンにより第１基板に支持された各小径インターポーザが熱試験時に熱変形を受けても、熱変形が一方に偏心することがなく平均化されて全体として小さな変形に抑えることができ、第１基板と第２基板間の電極間の導通不良をさらに低減することが可能になる。また、その組立時に、第１基板に位置決め支持された各小径インターポーザの位置が一方に偏心することを防止できることが可能になる。
【００１７】
請求項６の構成は、請求項１〜５の構成において、接続子は、小径支持板に設けた筒部に取り外し可能なように挿入支持されていて、先端が第１基板の接続用電極と接触する装着用端子と、この装着用端子の基端部に設けられ先端が相対応する第２基板の接続用電極と接触する接触部とを有するように構成してあることを特徴とする。
【００１８】
請求項６の構成によれば、接続子は各小径支持板に設けられた筒部に取り外し可能なように挿入され支持されているので、熱試験などで導通不良となった接続子を持つ小径インターポーザがあっても、その小径インターポーザにおける導通不良接続子のみを１本単位で交換できるため、該当不良接続子のみを交換することができる。また、導通不良接続子が多い場合には、該当小径インターポーザを交換するなどの方法が選択することが可能になる。
【００１９】
【発明の実施の形態】
以下、本発明の実施の形態について、図面に基づいて説明する。
（実施の形態）
図１は、本発明の実施の形態であるインターポーザを含むプローブカードＡの断面構造の概念図を示す。図１において、プローブカードＡは、テスター等の検査測定機器（図示省略）に導通接続するための第１基板（メイン基板：別名マザー基板）１と、ＩＣチップ等の被検査対象である半導体デバイス３に導通接続するための第２基板（サブ基板）２と、これら第１基板１，第２基板２の間に介在される縦型のインターポーザＩとから構成されている。
【００２０】
第１基板１は、検査用測定機器に導通接続される複数の外部電極４を表面に装備し、かつ、第２基板２に対する導通用としての接続用電極５を裏面に装備し、これら表裏の両電極４，５の相対応するものどうしを導通させる複数の内部配線１０を設けて構成されている。隣り合う外部電極４，４同士の第１間隔Ｄ１は、検査測定機器に対応した大きな間隔に設定されている。また、第１基板１には位置決めピン１３が所定の位置に立って複数設けられている。
【００２１】
第２基板２は、半導体デバイス３の電極６に対応させて間隔Ｄ２に狭く配置された複数の外部電極７を表面に装備し、第１基板裏面に形成された接続用電極５に対応する間隔Ｄ３で形成された接続用電極８を裏面に装備し、これら表裏の両電極７，８の相対応するもの同士を導通させる複数の内部配線９を設けて構成されている。ここで、上記間隔はＤ１＞Ｄ３＞Ｄ２の関係にある。
【００２２】
インターポーザＩは、第１基板１の接続用電極５と第２基板２の接続用電極８とに跨って付勢接触して導通させる手段機構であり、弓形（略３形）に屈曲形成された弾性状の導電体電極である複数の接続子１１と、これら接続子１１をそれぞれまとめて固定支持する正方形あるいはほぼ正方形の面形状をした複数枚の小さい形状の小径支持板１５，１６，１７，１８からなる小さい形状からなる複数枚の小径インターポーザＡ、Ｂ、Ｃ、Ｄが、第１基板１の裏面に沿うて平面状に配列するように構成されている。
【００２３】
接続子１１の材料としては、電極として例えば表面に金メッキ処理された弾性バネ状の良好な導電体金属であれば良く、例えばＢｅＣｕ（ベリリュウムカッパー）などを使用する。
【００２４】
小径支持板１５〜１８の材料としては、第１基板１の熱膨張係数に近い樹脂基板材料であれば良く、あるいは比較的熱膨張係数の低い樹脂基板材料のポリイミド、芳香族ポリイミドなどを使用する。
【００２５】
図２は、図１のインターポーザＩの断面構造および平面構造の概念図を示す。複数の接続子１１をほぼ正方形の面形状をした４枚の小径支持板１５〜１８にそれぞれまとめて固定支持した正方形の面形状をした４枚の小径インターポーザＡ〜Ｄを、略田の字の形に配列して、インターポーザＩ全体の外側の外形をほぼ正方形としている。
【００２６】
その各小径インターポーザの周囲には、位置決めピン穴１４が複数穴状に貫通して形成されており、その形状は、位置決めピン穴の形状の平面構造の概念図である図４の図４（ａ）、図４（ｂ）に示すように楕円状あるいは長穴状の形状であり、図２にもどって、その長軸方向は各小径インターポーザの中心から放射状になるように形成されている。そして、図１の第１基板１の所定の位置に設置された複数の位置決めピン１３を、図１，図２の小径インターポーザＡ〜Ｄのそれぞれの位置決めピン穴１４に嵌め込み通して、各小径インターポーザＡ、Ｂ、Ｃ、Ｄを第１基板１に支持するように構成している。
【００２７】
上記で、正方形の面形状をした４枚の小径インターポーザを互いに略田の字に配列し、大きな正方形の分割されたインターポーザにしたことにより、電極数が多くなって小径インターポーザの外形形状が設計上やむをえず大きくして構成することになっても、熱試験時の熱変形を正四方向へ均一にバランスよく分散でき、かつ外形が小さいため、熱変形は小さいので、第１基板と第２基板間の導通不良を従来よりさらに抑制することができる。
【００２８】
また、小径インターポーザのそれぞれの位置決めピン穴に、第１基板の複数の位置決めピンを通し嵌め込むことにより、小径インターポーザと第１基板を容易に支持することができ、また、次々に小径インターポーザを第１基板面に平面状に位置決めすることにより、インターポーザ全体の組立の効率化が可能になる。
【００２９】
また、外形が小さい小径インターポーザなので、製造歩留まりの向上や製造時間の短縮化を図ることも出来る。
【００３０】
また、本発明のインターポーザにおいて、楕円状あるいは長穴状の位置決めピン穴の長軸方向が小径インターポーザの中心方向より放射状になるように形成していることが好ましい。また、本発明においては、楕円状あるいは長穴状の位置決めピン穴の長軸方向が第２基板の中心方向より放射状になるように形成してもよい。このとき、位置決めピンにより第１基板に支持された各小径インターポーザおよび／または第２基板が熱試験時に熱変形を受けても、熱変形が一方に偏心することがなく中心から四方向へ広がるため、熱変形は平均化されて全体として小さな変形に抑えることができ、第１基板と第２基板間の電極間の導通不良をさらに低減することが可能になる。
【００３１】
また、その組立時に、第１基板に位置決め支持された各小径インターポーザあるいは第２基板の位置が一方に偏心することを防止できることが可能になる。
【００３２】
図３は、実施の形態の他の実施例であるインターポーザＩの平面構造の概念図を示す。外形が小さい、長方形あるいは略長方形の面形状をした複数枚の小径支持板１９〜２４に、複数の接続子１１をそれぞれにまとめて固定支持して構成した、複数枚の小径インターポーザＥ〜Ｊを、プローブカードの第１基板１面に、例えば田の字の形に、均等に配置するように枚数を調整して設計配列している。
【００３３】
その各小径インターポーザＥ〜Ｊの周囲には、位置決めピン穴１４’が複数穴状に貫通して形成されており、その形状は、図４に示すように楕円状あるいは長穴状の形状であり、図３にもどって、その長軸方向は各小径インターポーザＥ〜Ｊの中心から放射状になるように形成されている。
【００３４】
図示していないが、第１基板１の所定の位置に設置された位置決めピンを上記略長方形の面形状の小径インターポーザＥ〜Ｊの位置決めピン穴１４に嵌め込み通して、各小径インターポーザＥ〜Ｊを第１基板１に支持するように構成してもよい。
【００３５】
上記では、小径インターポーザの面形状を長方形または略長方形としたが、正方形または略正方形でもよく、これらをプローブカードの第１基板面に、略田の字の形などに、均等に配置するように枚数を調整して複数枚を設計配列する構成にしても同様に実施可能である。
【００３６】
本発明においては、インターポーザ全体を複数枚の外形を小さくした長方形または略長方形あるいは正方形または略正方形の小径インターポーザに分割化しこれらを配列することもできる。これにより、高温での熱試験検査時において、形状が小さい小径支持板の熱変形ひいては小径インターポーザのそれぞれの熱変形は小さいので、インターポーザ全体の熱変形は小さくなるので、第１基板と第２基板間の導通不良を抑制することができるようになる。
【００３７】
また、たとえ導通不良となった小径インターポーザが発生してもそれのみを交換することが可能になり、インターポーザＩ全体を一度に交換しなくてもよい。しかも外形が小さい小径インターポーザを製造することができるようになるので、従来型の大きい形状のインターポーザを製造する時よりその歩留まりが向上し、短い時間で製造することが可能になる。
【００３８】
また、小径インターポーザの面形状を正方形または略正方形あるいは長方形または略長方形にすることができるので、熱試験時に発生する熱変形がそれぞれの小径インターポーザにおいて四方へ均等にバランスよく分散されやすくなり、インターポーザ全体の熱変形を従来より小さくすることができ、第１基板と第２基板間の導通不良をさらに抑制することができる。
【００３９】
また、外形が小さく正方形あるいは長方形の形状をした小径インターポーザを汎用的に設計製造することにより、大きい形状の従来型の製造時よりその歩留まりが向上し、短い時間で平行して製造することができるので、インターポーザ全体として安価にすることが可能になる。
【００４０】
図５は、実施の形態の他の実施例であるインターポーザを含むプローブカードＢの断面構造の概念図を示す。図１と同様な構成のものは同じ参照番号を付している。第２基板２に、第１基板１に設置された位置決めピン１３’が通る位置決めピン穴１４“を対応する位置に複数形成する。位置決めピン１３’を第２基板２の位置決めピン穴１４”と各小径インターポーザＫ、Ｌの位置決めピン穴１４とに通し嵌め込んで、位置決めピン１３’により第２基板２および小さい面形状の各小径インターポーザＫ、Ｌを第１基板１に支持するように構成している。
【００４１】
上記で、第２基板にも第１基板の位置決めピンが通る位置決めピン穴を対応する位置に複数形成することにより、各小径インターポーザおよび第２基板の位置決めピン穴に、第１基板の位置決めピンを通し嵌め込むことができるようになり、第１基板、各小径インターポーザ、第２基板をひとまとめに位置決めすることが可能になり、従って、プローブカードの組立の効率化が可能になる。
【００４２】
図６は、実施の形態の他の実施例であるインターポーザを含むプローブカードＣの断面構造の概念図を示す。図１と同様な構成のものは同じ参照番号を付している。さらに、接続子の部分を拡大して説明するために一部図面を省略している。小径インターポーザＭ、Ｎは、接続子３１と、複数枚の外形が小さい小径支持板３２，３３に設けた複数の筒部３４に接続子３１が取り外し可能なように挿入支持されて構成されている。接続子３１は、先端３５が第１基板１の接続用電極５と接触する略逆Ｕ字状の二股形状の装着用端子３６と、この装着用端子３６の基端部３７に設けられ先端３５が相対応する第１基板１の接続用電極５と付勢接触する側面視略つ字状の弾性体からなる接触部３８とを有するように構成してある。小径インターポーザＭ、Ｎの各周囲には位置決めピン１３が通る複数の位置決めピン穴４４がその長軸方向が小径インターポーザの中心方向に放射状に向いた楕円状あるいは長穴状の貫通穴が形成されている。小径インターポーザＭ、Ｎは位置決めピン１３により、第１基板１面に沿うて平面状に支持される。
【００４３】
上記で、小径インターポーザの筒部に接続子が取り外し可能なように挿入支持されているので、熱試験などで導通不良となった接続子を持つ小径インターポーザがあっても、その小径インターポーザにおける導通不良接続子のみを１本単位で交換できるため、該当不良接続子のみを交換することができる。
【００４４】
また、導通不良接続子が多い場合には、該当小径インターポーザを交換するなどの方法が選択することが可能になり、修理の選択方法が増える。従って、従来のように、大きなインターポーザＩを交換しなくてもよい。
【００４５】
なお、上記で、第２基板に位置決めピン穴を周囲の所定の位置に設け、第１基板に設置した位置決めピンにより、第１基板と交換可能な接続子を支持した小径インターポーザと第２基板とをひとまとめに位置決めできることも、同様に実施可能である。
【００４６】
また、上記で、小径インターポーザの筒部に挿入した取り外し可能な接続子として、先端が略逆Ｕ字状の二股形状の装着用端子と、この装着用端子の基端部に設けられ先端が側面視略つ字状の弾性体からなる接触部とを有するように構成した例で説明したが、筒部に挿入し取り外し可能で、第１基板と第２基板の対応する各接続用電極に付勢接触できる弾性状の部分を含む構成からなる接続子であれば、同様に実施可能である。
【００４７】
なお、以上の説明で、小径インターポーザの面形状を長方形または略長方形あるいは正方形または略正方形として説明したが、三角形、台形他の形状でもよく、これらをプローブカードの第１基板に均等に配置するように枚数を調整して複数枚を設計配列する構成にしても、同様に実施可能である。
【００４８】
また、以上の説明で、小径インターポーザの配列枚数を４枚、６枚で説明したが、２枚、３枚あるいはさらに多い複数枚でも同様に実施可能である。
【００４９】
また、以上の説明で、小径インターポーザあるいは第２基板の対角線上に位置決めピン穴を各４個形成して説明しているが、その外形の周囲のいずれに配置しても良く、またその個数は少なくとも２個、さらに多くの複数でも同様に実施可能である。
【００５０】
【発明の効果】
以上のように本発明によれば、インターポーザ全体を複数枚の外形を小さくした小径インターポーザに分割化しこれらを配列することにより、高温熱試験時あるいはデバイス熱試験時に発生するインターポーザの熱変形による第１基板（メイン基板）と第２基板（サブ基板）の電極間の導通不良の発生を抑制できる。また、外形が小さい小径インターポーザを製造することになるのでその製造歩留まりが向上し、製造工程時間が短くなるなど、インターポーザ全体を安価にすることができる。
【００５１】
また、たとえ導通不良となった小径インターポーザが発生してもそれのみを交換することが可能になり、インターポーザＩ全体を一度に交換しなくてもよい。
【図面の簡単な説明】
【図１】本発明の一実施の形態によるインターポーザＩを含むプローブカードＡの断面構造を示す概念図。
【図２】インターポーザＩの平面構造および断面構造を示す概念図。
【図３】実施の形態の他の例によるインターポーザＩの平面構造を示す概念図。
【図４】位置決めピン穴の形状の平面構造を示す概念図。
【図５】実施の形態の他の例によるインターポーザを含むプローブカードＢの断面構造を示す概念図。
【図６】実施の形態の他の例であるインターポーザを含むプローブカードＣの断面構造を示す概念図。
【図７】従来のインターポーザＩを含むプローブカードの断面構造を示す図。
【符号の説明】
１　第１基板
２　第２基板
５、８　接続用電極
１１、３１　接続子
１５〜２４、３２、３３　小径支持板
Ａ〜Ｎ　小径インターポーザ
１３、１３’　位置決めピン
１４、１４’、１４”、４４　位置決めピン穴
３４　筒部
３５　先端
３６　装着用端子
３７　基端部
３８　接触部
【図１】
2004119945.tif 000003
【図２】
2004119945.tif 000004
【図３】
2004119945.tif 000005
【図４】
2004119945.tif 000006
【図５】
2004119945.tif 000007
【図６】
2004119945.tif 000008
【図７】
2004119945.tif 000009